(57)【要約】【課題】組立構造が強固で、回路基板等の部品をハウジングに安定して固定することができる固定機構及びそれを用いた電子装置を提供すること。【解決手段】本発明に係る固定機構は、金属部材及び回路基板を電子装置のハウジング内に装着するために用いられる。前記固定機構は、前記ハウジングの底壁に設けられる少なくとも１つの位置決め部と、数が前記位置決め部に一致し且つ前記回路基板に設けられる位置決め穴と、数が前記位置決め部に一致し且つ前記金属部材に設けられる貫通穴と、を備える。前記貫通穴の周縁には、複数のノッチが設けられる。前記位置決め部は、前記回路基板の位置決め穴を貫通して前記金属部材の貫通穴に溶着され、且つその溶融体が複数の前記ノッチに充填される。【選択図】図４
2012033932.tif 000002
【特許請求の範囲】
【請求項１】
金属部材及び回路基板を電子装置のハウジング内に装着するために用いられる固定機構であって、
前記固定機構は、前記ハウジングの底壁に設けられる少なくとも１つの位置決め部と、数が前記位置決め部に一致し且つ前記回路基板に設けられる位置決め穴と、数が前記位置決め部に一致し且つ前記金属部材に設けられる貫通穴と、を備え、
前記貫通穴の周縁には、複数のノッチが設けられ、前記位置決め部は、前記回路基板の前記位置決め穴を貫通して前記金属部材の前記貫通穴に溶着され且つその溶融体が複数の前記ノッチに充填されることを特徴とする固定機構。
【請求項２】
前記固定機構は、前記ハウジングに設けられ且つ係止用穴を有する少なくとも１つの係止部と、前記回路基板の側辺に設けられる少なくとも１つの固定片と、をさらに備え、前記固定片は、前記係止部の前記係止用穴に係合されることを特徴とする請求項１に記載の固定機構。
【請求項３】
前記固定機構は、前記回路基板の側辺から突出する少なくとも１つの係止片と、前記金属部材に設けられ且つ係止用穴を有する折り曲げ部と、をさらに備え、前記係止片は、前記折り曲げ部の前記係止用穴に係合されることを特徴とする請求項１または２に記載の固定機構。
【請求項４】
ハウジングと、回路基板と、金属部材と、前記金属部材及び前記回路基板を前記ハウジング内に装着するための固定機構と、備え、
前記固定機構は、前記ハウジングの底壁に設けられる少なくとも１つの位置決め部と、数が前記位置決め部に一致し且つ前記回路基板に設けられる位置決め穴と、数が前記位置決め部に一致し且つ前記金属部材に設けられる貫通穴と、を備え、
前記貫通穴の周縁には、複数のノッチが設けられ、前記位置決め部は、前記回路基板の前記位置決め穴を貫通して前記金属部材の前記貫通穴に溶着され且つその溶融体が複数の前記ノッチに充填されることを特徴とする電子装置。
【請求項５】
前記金属部材は、主体部と、前記主体部の側辺から前記主体部の底面に直交するように延伸してから外側へ僅かに傾斜して形成される折り曲げ部と、を備え、前記貫通穴は前記主体部の一端に設けられることを特徴とする請求項４に記載の電子装置。
【請求項６】
前記主体部には、電子装置の表示パネルを固定するためのフレームが設けられ、前記表示パネルは、フレキシブル配線基板を介して前記回路基板に電気的に接続することを特徴とする請求項５に記載の電子装置。
【発明の詳細な説明】
【技術分野】
【０００１】
本発明は、固定機構及びそれを用いた電子装置に関するものである。
【背景技術】
【０００２】
携帯電話等の電子装置を組み立てる場合、回路基板及び金属部材等の部品を電子装置のハウジングに固定する必要がある。従来では、多くのねじを用いて金属部材及び回路基板を電子装置のハウジングに螺着する。しかし、このような組立方法は、複雑なだけでなく、電子装置のハウジングは殆んどプラスチックからなるので、ねじを緊密に螺合させることができない。それゆえに、電子装置を長期間使用すると、ねじが緩み易くなり、金属部材及び回路基板を電子装置のハウジング内に安定して固定できなくなる。
【０００３】
ところで、金属部材に装着された表示パネルは、一般的にフレキシブル配線基板（ＦＰＣ）等を介して回路基板に電気的に接続される。もし、金属部材及び回路基板を電子装置のハウジング内に固定できないと、前記金属部材及び前記回路基板は位置ずれを起こし、ひいてはＦＰＣの損傷を招き、電子装置全体の性能に影響を及ぼす。
【発明の概要】
【発明が解決しようとする課題】
【０００４】
上記の問題点に鑑みて、本発明は、組立構造が強固で、回路基板等の部品をハウジングに安定して固定することができる固定機構及びそれを用いた電子装置を提供することを目的とする。
【課題を解決するための手段】
【０００５】
上記の目的を達成するために、本発明に係る固定機構は、金属部材及び回路基板を電子装置のハウジング内に装着するために用いられる。前記固定機構は、前記ハウジングの底壁に設けられる少なくとも１つの位置決め部と、数が前記位置決め部に一致し且つ前記回路基板に設けられる位置決め穴と、数が前記位置決め部に一致し且つ前記金属部材に設けられる貫通穴と、を備える。前記貫通穴の周縁には、複数のノッチが設けられる。前記位置決め部は、前記回路基板の位置決め穴を貫通して前記金属部材の貫通穴に溶着され、且つその溶融体が複数の前記ノッチに充填される。
【０００６】
また、上記の目的を達成するために、本発明に係る電子装置は、ハウジングと、回路基板と、金属部材と、前記金属部材及び前記回路基板を前記ハウジング内に装着するための固定機構と、備える。前記固定機構は、前記ハウジングの底壁に設けられる少なくとも１つの位置決め部と、数が前記位置決め部に一致し且つ前記回路基板に設けられる位置決め穴と、数が前記位置決め部に一致し且つ前記金属部材に設けられる貫通穴と、を備える。前記貫通穴の周縁には、複数のノッチが設けられる。前記位置決め部は、前記回路基板の位置決め穴を貫通して前記金属部材の貫通穴に溶着され、且つその溶融体が複数の前記ノッチに充填される。
【発明の効果】
【０００７】
従来の技術と比較して、本発明の電子装置は、ねじを使用せずに、回路基板及び金属部材をハウジング内に安定して固定することができる。即ち、本発明の固定機構による組立構造は強固であり、コストが低く、且つ金属部材及び回路基板の位置ずれを効果的に防止できる。これにより、前記金属部材に装着された表示パネル及び前記回路基板に電気的に接続されたＦＰＣは、位置ずれ及び損傷する問題が発生せず、電子装置全体の性能を確保する。
【図面の簡単な説明】
【０００８】
【図１】本発明の実施形態に係る電子装置の一部を示す分解図である。
【図２】図１に示した電子装置の位置決め部が熱溶着される前の組立図である。
【図３】図２に示した電子装置の位置決め部が熱溶着された後の組立図である。
【図４】図３に示した電子装置のＩＶ−ＩＶ線に沿う断面図である。
【発明を実施するための形態】
【０００９】
本発明の固定機構は、携帯電話及び個人用携帯情報端末（ＰＤＡ）等の電子装置に用いられる。以下、図面を参照しながら本発明の実施形態に係る固定機構について詳細に説明する。
【００１０】
図１に示したように、本発明の電子装置１００は、ハウジング１０、回路基板２０、金属部材３０及び固定機構５０を備える。前記固定機構５０によって、前記回路基板２０及び前記金属部材３０を前記ハウジング１０に装着し、固定する。
【００１１】
前記ハウジング１０は、プラスチックからなり、底壁１２及びこの底壁１２を取り囲む周壁１４を備える。前記底壁１２及び前記周壁１４によって取り囲むことで収容空間１６が形成される。前記底壁１２には、２つの位置決め部１２１及び２つの係止部１２２が設けられている。前記位置決め部１２１は、プラスチックからなり、且つインモールド成形により前記ハウジング１０と一体成形される。２つの位置決め部１２１は、全て楕円状の断面を有する柱体であり、且つ前記底壁１２の一端に対称に設けられる。２つの前記係止部１２２は、共に略矩形の筐体であり、前記周壁１４に平行であり且つ前記周壁１４より高く突設されている。各係止部１２２の中央部には、矩形の係止用穴１２３が設けられている。
【００１２】
前記回路基板２０は、前記ハウジング１０の収容空間１６内に装着され、平板部２１、２つの固定片２３及び２つの係止片２５を備える。前記平板部２１の一端には、前記ハウジング１０の位置決め部１２１を貫通させる２つの位置決め穴２１１が設けられている。２つの前記位置決め部１２１がそれぞれ対応する前記位置決め穴２１１を貫通すると、前記回路基板２０と前記ハウジング１０とが一体に組み立てられる。２つの前記固定片２３及び２つの前記係止片２５は、それぞれ前記平板部２１の対向する２つの側辺に対称に設けられ、且つ前記平板部２１と同一平面に位置するように前記平板部２１の側辺から僅かに突出してなる。さらに、前記平板部２１の同側に位置する前記固定片２３及び前記係止片２５は、互いに間隔をあけて設けられる。前記固定片２３を前記ハウジング１０の係止用穴１２３に係合させると、前記回路基板２０が前記収容空間１６内に固定される。
【００１３】
前記金属部材３０は、主体部３１及び２つの折り曲げ部３３を備える。前記主体部３１の形状及びサイズが前記ハウジング１０の形状及びサイズに一致するので、前記主体部３１を前記ハウジング１０の収容空間１６内に装着することができる。前記主体部３１には、前記電子装置１００の表示パネルを収納するためのフレーム３１１と、前記回路基板２０の２つの位置決め穴２１１に対応する２つの貫通穴３１２と、が設けられている。前記貫通穴３１２の周縁には、複数のノッチ３１３が設けられている。前記表示パネルは、備え付けのフレキシブル配線基板を介して前記回路基板２０に電気的に接続する。前記回路基板２０及び前記金属部材３０が前記ハウジング１０の収容空間１６内に収納された後、各貫通穴３１２は、前記回路基板２０の各位置決め穴２１１の位置に対応し、前記位置決め部１２１は、前記位置決め穴２１１及び前記貫通穴３１２を貫通する。
【００１４】
前記折り曲げ部３３は、前記主体部３１の側辺から前記主体部３１の底面に直交するように延伸してから外側へ僅かに傾斜して形成される。各折り曲げ部３３には、係止用穴３３１が設けられている。前記回路基板２０の係止片２５が前記係止用穴３３１に係合されると、前記金属部材３０及び前記回路基板２０は、一体に組み立てられる。
【００１５】
本発明の固定機構５０は、前記位置決め部１２１、前記位置決め穴２１１、前記貫通穴３１２、前記係止部１２２、前記固定片２３、前記係止片２５及び前記折り曲げ部３３で構成される。前記固定機構５０によって、前記回路基板２０及び前記金属部材３０は、前記電子装置１００のハウジング１０内に安定して固定されて位置ずれすることができない。
【００１６】
以下、図１乃至図３を参照しながら、本発明の電子装置１００の組立ステップについて詳細に説明する。
【００１７】
組み立てる場合、まず、前記回路基板２０を前記ハウジング１０内に装着する。具体的に説明すると、前記回路基板２０の位置決め穴２１１及び固定片２３をそれぞれ前記ハウジング１０の位置決め部１２１及び係止部１２２の位置に対応させてから、前記回路基板２０を前記収容空間１６に押圧して、前記位置決め部１２１を前記位置決め穴２１１に貫通させて前記回路基板２０の上面から露出させると共に、２つの前記固定片２３をそれぞれ２つの前記係止用穴１２３に挿入する。
【００１８】
次に、予め準備した表示パネル６０を前記回路基板２０の上面に搭載し、且つＦＰＣ（図示せず）を介して前記表示パネル６０を前記回路基板２０に電気的に接続する。次いで、前記フレーム３１１と前記表示パネル６０との位置、及び前記貫通穴３１２と前記位置決め部１２１との位置をそれぞれ合わせてから、前記ハウジング１０に向かって前記金属部材３０を押圧して、前記位置決め部１２１の前記回路基板２０から突き出る一端を前記貫通穴３１２に貫通させ、且つ前記折り曲げ部３３の係止用穴３３１と前記係止片２５とを互いに係合させる。このとき、前記表示パネル６０が前記フレーム３１１に装着される。前記回路基板２０及び前記金属部材３０は、一体に組み立てられ且つ両者が共に前記ハウジング１０に位置決めされている。
【００１９】
最後に、加熱溶着冶具（図示せず）を用いて高温条件下で前記位置決め部１２１を前記貫通穴３１２に溶着する。前記位置決め部１２１の溶融された液体は、前記貫通穴３１２の周縁のノッチ３１３に充填されて、前記金属部材３０における前記位置決め部１２１と前記貫通穴３１２との隙間を密封する（図４を参照）。前記位置決め部１２１を冷却した後、前記位置決め部１２１が前記金属部材３０に強固に固定されるので、前記金属部材３０は、前記位置決め部１２１に対して動くことができない。以上により、前記金属部材３０及び前記回路基板２０は、前記ハウジング１０に安定して装着される。
【００２０】
本発明の電子装置は、ねじを使用せずに、固定機構５０を介して前記回路基板２０及び前記金属部材３０を前記ハウジング１０に安定して固定することができる。本発明の固定機構による組立構造は強固であり、コストが低く、且つ前記金属部材３０及び前記回路基板２０の前記ハウジング１０に対する位置ずれを効果的に防止できる。それ故に、前記金属部材３０に装着された表示パネル６０及び前記回路基板２０に電気的に接続されたＦＰＣは、位置ずれ及び損傷する問題が発生しない。
【００２１】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２２】
１０            ハウジング
１２            底壁
１４            周壁
２０            回路基板
２１            平板部
２３            固定片
２５            係止片
３０            金属部材
３１            主体部
３３            折り曲げ部
５０            固定機構
６０            表示パネル
１００          電子装置
１２１          位置決め部
１２２          係止部
１２３          係止用穴
２１１          位置決め穴
３１１          フレーム
３１２          貫通穴
３１３          ノッチ
３３１          係止用穴
【図１】
2012033932.tif 000003
【図２】
2012033932.tif 000004
【図３】
2012033932.tif 000005
【図４】
2012033932.tif 000006